(57)【要約】【課題】余計な消費電力の増加を抑制するとともに、Ｗｉ−Ｆｉ接続のサービスを受けることが可能なエリアにおいて、データ通信時にＷｉ−Ｆｉ接続を容易に選択することが可能な携帯型ユーザ端末、通信切替方法及び携帯型ユーザ端末用プログラムを提供する【解決手段】携帯型ユーザ端末１０は、自身が無線ＬＡＮに接続可能な場所の位置情報と、この無線ＬＡＮを実行するためのＩＤとを対応付けて記憶し、自身の現在の位置情報を検知し、検知した位置情報が、無線ＬＡＮに接続可能な場所であると判断した場合、無線ＬＡＮの接続をＩＤを選択して行うことで、基地局３を利用するデータ通信に優先して、無線ＬＡＮの接続によるデータ通信を実行する。【選択図】図１
2017005557.tif 000002
【特許請求の範囲】
【請求項１】
無線ＬＡＮ経由によるデータ通信と、基地局に接続してデータ通信との両方のデータ通信が可能な携帯型ユーザ端末であって、
自身が、前記無線ＬＡＮに接続可能な場所の位置情報と、当該無線ＬＡＮを実行するためのＩＤとを対応付けて記憶する位置情報記憶手段と、
自身の現在の位置情報を検知する位置情報検知手段と、
検知した前記位置情報が、前記無線ＬＡＮに接続可能な場所であると判断する無線ＬＡＮエリア該当判断手段と、
検知した前記位置情報が、前記無線ＬＡＮに接続可能な場所であると判断した場合、前記無線ＬＡＮの接続を前記ＩＤを選択して行うことで、前記基地局を利用するデータ通信に優先して、前記無線ＬＡＮの接続によるデータ通信を行う無線ＬＡＮ接続手段と、
を備えることを特徴とする携帯型ユーザ端末。
【請求項２】
前記無線ＬＡＮ経由によるデータ通信とは、Ｗｉ−Ｆｉ接続によるデータ通信であって、前記無線ＬＡＮを実行するためのＩＤとは、ＳＳＩＤであることを特徴とする請求項１に記載の携帯型ユーザ端末。
【請求項３】
無線ＬＡＮ経由によるデータ通信と、基地局に接続してデータ通信との両方のデータ通信が可能な携帯型ユーザ端末が実行する通信切替方法であって、
前記携帯型ユーザ端末が、前記無線ＬＡＮに接続可能な場所の位置情報と、当該無線ＬＡＮを実行するためのＩＤとを対応付けて記憶するステップと、
前記携帯型ユーザ端末の現在の位置情報を検知するステップと、
検知した前記位置情報が、前記無線ＬＡＮに接続可能な場所であると判断するステップと、
検知した前記位置情報が、前記無線ＬＡＮに接続可能な場所であると判断した場合、前記無線ＬＡＮの接続を前記ＩＤを選択して行うことで、前記基地局を利用するデータ通信に優先して、前記無線ＬＡＮの接続によるデータ通信を行うステップと、
を備えることを特徴とする通信切替方法。
【請求項４】
無線ＬＡＮ経由によるデータ通信と、基地局に接続してデータ通信との両方のデータ通信が可能な携帯型ユーザ端末が実行する携帯型ユーザ端末用プログラムであって、
前記携帯型ユーザ端末が、前記無線ＬＡＮに接続可能な場所の位置情報と、当該無線ＬＡＮを実行するためのＩＤとを対応付けて記憶するステップ、
前記携帯型ユーザ端末の現在の位置情報を検知するステップ、
検知した前記位置情報が、前記無線ＬＡＮに接続可能な場所であると判断するステップ、
検知した前記位置情報が、前記無線ＬＡＮに接続可能な場所であると判断した場合、前記無線ＬＡＮの接続を前記ＩＤを選択して行うことで、前記基地局を利用するデータ通信に優先して、前記無線ＬＡＮの接続によるデータ通信を行うステップ、
を備えることを特徴とする携帯型ユーザ端末用プログラム。
【発明の詳細な説明】
【技術分野】
【０００１】
本発明は、無線ＬＡＮ経由によるデータ通信と、基地局に接続してデータ通信との両方のデータ通信が可能な携帯型ユーザ端末、通信切替方法及び携帯型ユーザ端末用プログラムに関する。
【背景技術】
【０００２】
近年、スマートフォンやタブレット端末と呼ばれる高機能携帯端末の普及によって、自宅や外出先等において、インターネットによるウェブサイトや動画等の閲覧を行う機会が増加している。
【０００３】
また、このような高機能携帯端末において、近年のウェブサイトや動画等はその容量が大きいこともあり、Ｗｉ−Ｆｉ接続による無線ＬＡＮ通信が用いられている。
【０００４】
このような高機能携帯端末において、ＧＰＳシステムを利用して自身の位置情報を取得し、現在位置から移動経路を予測し、予測した移動経路に無線ＬＡＮスポットが存在する場合、この無線ＬＡＮスポットに入る手前で無線ＬＡＮへ接続を切り替える構成が開示されている（特許文献１参照）。
【先行技術文献】
【特許文献】
【０００５】
【特許文献１】特開２０１３−１２８１６８号公報
【発明の概要】
【発明が解決しようとする課題】
【０００６】
特許文献１によれば、ＧＰＳ信号を一定の周期で取得することにより、自身の移動経路を推測したうえで、推測した移動経路上に無線ＬＡＮスポットが有るか否かを判断し、無線ＬＡＮスポットが存在する場合に、無線ＬＡＮ接続を実行している。
【０００７】
しかしながら、特許文献１に記載の方法では、移動経路を予測するために必要な処理を実行することによる消費電力の増加や、予測した移動経路から外れてしまった場合、Ｗｉ−Ｆｉ接続のサービスを受けることが可能なエリアに入っていながら、データ通信時にＷｉ−Ｆｉ接続を選択することに気が付くことが困難であった。
【０００８】
本発明は、これらの要請を鑑み、余計な消費電力の増加を抑制するとともに、Ｗｉ−Ｆｉ接続のサービスを受けることが可能なエリアにおいて、データ通信時にＷｉ−Ｆｉ接続を容易に選択することが可能な携帯型ユーザ端末、通信切替方法及び携帯型ユーザ端末用プログラムを提供することを目的とする。
【課題を解決するための手段】
【０００９】
本発明では、以下のような解決手段を提供する。
【００１０】
第１の特徴に係る発明は、無線ＬＡＮ経由によるデータ通信と、基地局に接続してデータ通信との両方のデータ通信が可能な携帯型ユーザ端末であって、
自身が、前記無線ＬＡＮに接続可能な場所の位置情報と、当該無線ＬＡＮを実行するためのＩＤとを対応付けて記憶する位置情報記憶手段と、
自身の現在の位置情報を検知する位置情報検知手段と、
検知した前記位置情報が、前記無線ＬＡＮに接続可能な場所であると判断する無線ＬＡＮエリア該当判断手段と、
検知した前記位置情報が、前記無線ＬＡＮに接続可能な場所であると判断した場合、前記無線ＬＡＮの接続を前記ＩＤを選択して行うことで、前記基地局を利用するデータ通信に優先して、前記無線ＬＡＮの接続によるデータ通信を行う無線ＬＡＮ接続手段と、
を備えることを特徴とする携帯型ユーザ端末を提供する。
【００１１】
第１の特徴に係る発明によれば、無線ＬＡＮ経由によるデータ通信と、基地局に接続してデータ通信との両方のデータ通信が可能な携帯型ユーザ端末は、自身が、前記無線ＬＡＮに接続可能な場所の位置情報と、当該無線ＬＡＮを実行するためのＩＤとを対応付けて記憶し、自身の現在の位置情報を検知し、検知した前記位置情報が、前記無線ＬＡＮに接続可能な場所であると判断し、検知した前記位置情報が、前記無線ＬＡＮに接続可能な場所であると判断した場合、前記無線ＬＡＮの接続を前記ＩＤを選択して行うことで、前記基地局を利用するデータ通信に優先して、前記無線ＬＡＮの接続によるデータ通信を行う。
【００１２】
ここで、第１の特徴に係る発明は携帯型ユーザ端末のカテゴリであるが、通信切替方法及び携帯型ユーザ端末用プログラムのカテゴリにおいても、同様の作用・効果を発揮する。
【００１３】
第２の特徴に係る発明は、前記無線ＬＡＮ経由によるデータ通信とは、Ｗｉ−Ｆｉ接続によるデータ通信であって、前記無線ＬＡＮを実行するためのＩＤとは、ＳＳＩＤであることを特徴とする第１の特徴に係る発明である携帯型ユーザ端末を提供する。
【００１４】
第２の特徴に係る発明によれば、第１の特徴に係る発明である携帯型ユーザ端末は、前記無線ＬＡＮ経由によるデータ通信とは、Ｗｉ−Ｆｉ接続によるデータ通信であって、前記無線ＬＡＮを実行するためのＩＤとは、ＳＳＩＤである。
【００１５】
第３の特徴に係る発明は、無線ＬＡＮ経由によるデータ通信と、基地局に接続してデータ通信との両方のデータ通信が可能な携帯型ユーザ端末が実行する通信切替方法であって、
前記携帯型ユーザ端末が、前記無線ＬＡＮに接続可能な場所の位置情報と、当該無線ＬＡＮを実行するためのＩＤとを対応付けて記憶するステップと、
前記携帯型ユーザ端末の現在の位置情報を検知するステップと、
検知した前記位置情報が、前記無線ＬＡＮに接続可能な場所であると判断するステップと、
検知した前記位置情報が、前記無線ＬＡＮに接続可能な場所であると判断した場合、前記無線ＬＡＮの接続を前記ＩＤを選択して行うことで、前記基地局を利用するデータ通信に優先して、前記無線ＬＡＮの接続によるデータ通信を行うステップと、
を備えることを特徴とする通信切替方法を提供する。
【００１６】
第４の特徴に係る発明は、無線ＬＡＮ経由によるデータ通信と、基地局に接続してデータ通信との両方のデータ通信が可能な携帯型ユーザ端末が実行する携帯型ユーザ端末用プログラムであって、
前記携帯型ユーザ端末が、前記無線ＬＡＮに接続可能な場所の位置情報と、当該無線ＬＡＮを実行するためのＩＤとを対応付けて記憶するステップ、
前記携帯型ユーザ端末の現在の位置情報を検知するステップ、
検知した前記位置情報が、前記無線ＬＡＮに接続可能な場所であると判断するステップ、
検知した前記位置情報が、前記無線ＬＡＮに接続可能な場所であると判断した場合、前記無線ＬＡＮの接続を前記ＩＤを選択して行うことで、前記基地局を利用するデータ通信に優先して、前記無線ＬＡＮの接続によるデータ通信を行うステップ、
を備えることを特徴とする携帯型ユーザ端末用プログラムを提供する。
【発明の効果】
【００１７】
本発明によれば、余計な消費電力の増加を抑制するとともに、Ｗｉ−Ｆｉ接続のサービスを受けることが可能なエリアにおいて、データ通信時にＷｉ−Ｆｉ接続を容易に選択することが可能な携帯型ユーザ端末、通信切替方法及び携帯型ユーザ端末用プログラムを提供することが可能となる。
【図面の簡単な説明】
【００１８】
【図１】図１は、通信切替システム１の概要を表した図である。
【図２】図２は、通信切替システム１の全体構成図である。
【図３】図３は、携帯型ユーザ端末１０の機能ブロック図である。
【図４】図４は、携帯型ユーザ端末１０が実行する、通信切替処理の手順を示すフローチャートである。
【図５】図５は、携帯型ユーザ端末１０が記憶するサービスデータテーブルを表した図である。
【図６】図６は、携帯型ユーザ端末１０が記憶するエリアデータテーブルを表した図である。
【図７】図７は、携帯型ユーザ端末１０が表示するサービス選択用表示画面を表した図である。
【図８】図８は、携帯型ユーザ端末１０が表示するサービス選択内容表示画面を表した図である。
【発明を実施するための形態】
【００１９】
以下、本発明を実施するための最良の形態について図を参照しながら説明する。なお、これはあくまでも一例であって、本発明の技術的範囲はこれに限られるものではない。
【００２０】
［通信切替システム１の概要］
図１は、本発明の好適な実施形態である通信切替システム１の概要を説明するための図である。通信切替システム１は、携帯型ユーザ端末１０、基地局３、ＧＰＳシステム５及びルータ１０から構成される。携帯型ユーザ端末１０は、無線ＬＡＮ経由によるデータ通信として、Ｗｉ−Ｆｉ接続によるデータ通信を実行する。携帯型ユーザ端末１０は、ＧＰＳシステム５によって、自身の現在の位置情報を取得することが可能である。また、携帯型ユーザ端末１０は、Ｗｉ−Ｆｉ通信により、ルータ１００とデータ通信を実行可能である。また、携帯型ユーザ端末１０は、基地局３とデータ通信やその他の通信を実行可能である。なお、携帯型ユーザ端末１００は、公衆回線網（インターネット網や第３世代、第４世代通信網等）と直接通信可能であっても良い。
【００２１】
通信切替システム１において、はじめに、携帯型ユーザ端末１０は、自身のデータ通信のサービス内容を設定する（ステップＳ０１）。ステップＳ０１において、携帯型ユーザ端末が設定するデータ通信のサービス内容とは、携帯型ユーザ端末１０が契約する通信会社が提供するデータ通信のサービス内容である。なお、データ通信のサービス内容の設定は、ユーザ自身が直接入力したものを受け付けても良いし、通信会社のサーバやデータベース等から取得したものを受け付けても良い。
【００２２】
次に、携帯型ユーザ端末１０は、無線ＬＡＮに接続可能な場所の位置情報と、無線ＬＡＮを実行するためのＷｉ−Ｆｉアクセス情報との入力を受け付ける（ステップＳ０２）。ステップＳ０２において、携帯型ユーザ端末１０は、位置情報及びＷｉ−Ｆｉアクセス情報を直接ユーザが入力したものを受け付けても良いし、無線ＬＡＮサービスの提供元サーバやデータベース等から取得して受け付けても良い。
【００２３】
ステップＳ０２において、携帯型ユーザ端末１０が受け付ける位置情報とは、緯度及び経度を指定した位置情報、地図アプリケーション等の他のアプリケーションやウェブサイト等の公衆回線網等を通じて指定した場所の位置情報又はＧＰＳシステム５を介して取得した場所の位置情報である。なお、携帯型ユーザ端末１０が受け付ける位置情報は、他の方法により受け付けた位置情報であっても良い。
【００２４】
また、ステップＳ０２において、携帯型ユーザ端末１０が受け付けるＷｉ−Ｆｉアクセス情報とは、無線ＬＡＮを実行するためのＩＤであり、ＳＳＩＤ及びＳＳＩＤのパスワードである。なお、携帯型ユーザ端末１０が受け付けるＷｉ−Ｆｉアクセス情報とは、無線ＬＡＮを実行するための他の情報であっても良い。
【００２５】
携帯型ユーザ端末１０は、受け付けた位置情報と、Ｗｉ−Ｆｉアクセス情報とを対応付けて記憶する（ステップＳ０３）。
【００２６】
次に、携帯型ユーザ端末１０は、所定のタイミングで、ＧＰＳシステム５から自身の位置情報を取得し、自身の位置情報を把握する（ステップＳ０４）。ステップＳ０４において、所定のタイミングとは、例えば、データ通信を実行するためのアプリケーション起動時、所定の時間間隔毎、自身の振動が一定時間停止したタイミングである。なお、携帯型ユーザ端末１０は、常にＧＰＳシステム５から自身の位置情報を取得しても良い。
【００２７】
次に、携帯型ユーザ端末１０は、自身の位置情報が、無線ＬＡＮに接続可能な場所であるか否かを判断する（ステップＳ０５）。ステップＳ０５において、携帯型ユーザ端末１０は、自身の位置情報に基づいて、記憶した位置情報を検索し、現在の場所が、無線ＬＡＮに接続可能な場所か否かを判断する。なお、ステップＳ０５において、携帯型ユーザ端末１０は、公衆無線ＬＡＮサービスの提供元サーバやデータベース等から公衆無線ＬＡＮスポットの場所に関する位置情報及びＷｉ−Ｆｉアクセス情報を取得し、自身の位置情報に基づいて、取得した位置情報を検索し、無線ＬＡＮに接続可能な場所か否かを判断しても良い。
【００２８】
ステップＳ０５において、携帯型ユーザ端末１０は、自身の位置情報が、記憶した位置情報又は取得した位置情報に存在しているか否かを判断することにより、無線ＬＡＮに接続可能であるか否かを判断する。
【００２９】
携帯型ユーザ端末１０は、無線ＬＡＮに接続可能であると判断した場合、すなわち、記憶した位置情報又は取得した位置情報に、自身の位置情報が存在している場合、無線ＬＡＮの接続を記憶したＷｉ−Ｆｉアクセス情報又は取得したＷｉ−Ｆｉアクセス情報を選択し、基地局３を利用するデータ通信に優先して、ルータ１００とＷｉ−Ｆｉ接続によるデータ通信を実行する（ステップＳ０６）。ステップＳ０６において、携帯型ユーザ端末１０は、ルータ１００を介して、無線ＬＡＮ接続によるデータ通信を実行する。
【００３０】
一方、携帯型ユーザ端末１０は、無線ＬＡＮに接続可能ではないと判断した場合、すなわち、記憶した位置情報又は取得した位置情報に、自身の位置情報が存在していない場合、基地局３を利用するデータ通信を実行する（ステップＳ０７）。
【００３１】
以上が、通信切替システム１の概要である。
【００３２】
［通信切替システム１のシステム概要］
図２は、本発明の好適な実施形態である通信切替システム１のシステム構成図である。通信切替システム１は、携帯型ユーザ端末１０、基地局３、ＧＰＳシステム５及びルータ１００から構成される。携帯型ユーザ端末１０は、ＧＰＳシステム５によって、自身の現在位置の位置情報を取得することが可能である。また、携帯型ユーザ端末１０は、Ｗｉ−Ｆｉ接続によりルータ１００とデータ通信を実行可能である。また、携帯型ユーザ端末１０は、公衆回線網（インターネット網や第３世代又は第４世代通信等）を介して、基地局３とデータ通信を実行可能である。
【００３３】
携帯型ユーザ端末１０は、後述の機能を備え、データ通信を実行することが可能な家庭用又は業務用の電化製品である。携帯型ユーザ端末１０は、例えば、携帯電話、携帯情報端末、タブレット端末に加え、ネットブック端末、スレート端末、電子書籍端末、携帯型音楽プレーヤ等の情報家電であって良い。
【００３４】
基地局３は、携帯型ユーザ端末１０とデータ通信及びその他の通信を実行する通信事業者が提供する一般的な基地局である。
【００３５】
ＧＰＳシステム５は、複数のＧＰＳ衛星の各々が信号を携帯型ユーザ端末１０に送信する一般的なＧＰＳシステムである。
【００３６】
ルータ１０は、携帯型ユーザ端末１０とＷｉ−Ｆｉ接続によるデータ通信を実行するとともに、公衆回線網とデータ通信を実行する一般的なルータである。
【００３７】
［各機能の説明］
図３に基づいて、各装置の構成について説明する。
【００３８】
携帯型ユーザ端末１０は、制御部１１として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、他の機器と通信可能にするためのデバイス、例えば、ＩＥＥＥ８０２．１１に準拠したＷｉ−Ｆｉ（Ｗｉｒｅｌｅｓｓ−Ｆｉｄｅｌｉｔｙ）対応デバイスを備える。
【００３９】
また、携帯型ユーザ端末１０は、記憶部１３として、ハードディスクや半導体メモリ、記録媒体、メモリカード等によるデータのストレージ部を備える。記憶部１４には、後述するサービスデータテーブル及びエリアデータテーブルが含まれる。
【００４０】
また、携帯型ユーザ端末１０は、入出力部１４として、制御部１１で制御したデータや画像を出力表示する表示部と、ユーザからの入力を受け付けるタッチパネルやキーボード、マウス等を備える。
【００４１】
携帯型ユーザ端末１０において、制御部１１が所定のプログラムを読み込むことで、通信部１２と協働して、サービス設定モジュール２０、データ設定モジュール２１、位置情報取得モジュール２２、データ通信実行モジュール２３、無線ＬＡＮ通信実行モジュール２４を実現する。また、携帯型ユーザ端末１０において、制御部１１が所定のプログラムを読み込むことで、記憶部１３と協働して、データ記憶モジュール３０、接続可能判断モジュール３１を実現する。また、携帯型ユーザ端末１０において、制御部１１が所定のプログラムを読み込むことで、入出力部１４と協働して、データ入力モジュール４０、サービス選択モジュール４１を実現する。
【００４２】
［通信切替処理］
図４は、携帯型ユーザ端末１０が実行する通信切替処理のフローチャートである。上述した各装置のモジュールが実行する処理について、本処理に合わせて説明する。
【００４３】
はじめに、携帯型ユーザ端末１０のサービス設定モジュール２０は、自身のデータ通信のサービス内容を設定する（ステップＳ１０）。ステップＳ１０において、サービス設定モジュール２０が設定するデータ通信のサービス内容とは、携帯型ユーザ端末１０が契約する津新会社が提供するデータ通信のサービス内容である。
【００４４】
ステップＳ１０において、サービス設定モジュール２０は、ユーザが直接携帯型ユーザ端末１０へのサービス内容の入力を受け付け、受け付けたサービス内容に基づいて、自身のデータ通信のサービス内容を設定する。また、ステップＳ１０において、サービス設定モジュール２０は、公衆回線網を介して、自身が契約する通信会社のサーバやデータベース等から自身のデータ通信のサービス内容を取得し、設定する。すなわち、サービス設定モジュール２０は、自身の製造ナンバー、電話番号、ＭＡＣアドレス等の自身を識別する識別子を通信会社のサーバやデータベース等に送信し、自身のデータ通信のサービス内容を取得し、サービス内容を設定する。
【００４５】
携帯型ユーザ端末１０のデータ記憶モジュール３０は、サービス設定モジュール２０が設定したサービス内容を、図５に示すサービスデータテーブルとして記憶する（ステップＳ１１）。
【００４６】
［サービスデータテーブル］
図５は、データ記憶モジュール３０が記憶するサービスデータテーブルを示す図である。図５において、データ記憶モジュール３０は、サービス設定モジュール２０が取得したサービス名とサービス内容とを対応付けて記憶する。サービス内容とは、後述するＷｉ−Ｆｉ通信エリアとそれ以外の場所におけるデータ通信とを規定するものである。なお、サービスデータテーブルにおいて、サービス名及びサービス内容以外の項目をこれらに対応付けて記憶しても良い。また、サービスの種類は、これ以上よりも多くとも少なくとも良い。また、サービス内容は、これ以上よりも多くとも少なくとも良い。
【００４７】
次に、携帯型ユーザ端末１０のサービス選択モジュール４１は、サービス選択用アプリケーションを起動し、図７に示すサービス選択用表示画面を表示する（ステップＳ１２）。サービス選択モジュール４１は、データ記憶モジュール３０が記憶するサービス名を複数表示する。図７において、サービス選択モジュール４１は、サービス選択枠２００を表示する。サービス選択枠２００は、データ記憶モジュール３０が記憶する複数のサービス名の各々を表示する。
【００４８】
サービス選択モジュール４１は、サービス選択枠２００の操作が行われたか否かを判断する（ステップＳ１３）。ステップＳ１３において、サービス選択モジュール４１は、サービス選択枠２００の操作が行われていないと判断した場合（ステップＳ１３  ＮＯ）、本処理を繰り返す。一方、ステップＳ１３において、サービス選択モジュール４１は、サービス選択枠２００の操作が行われたと判断した場合（ステップＳ１３  ＹＥＳ）、選択されたサービス名の表示として、図８に示すサービス選択内容表示画面を表示する（ステップＳ１４）。
【００４９】
次に、携帯型ユーザ端末１０のデータ入力モジュール４０は、無線ＬＡＮに接続可能な場所の位置情報と、この無線ＬＡＮを実行するためのＷｉ−Ｆｉアクセス情報との入力を受け付ける（ステップＳ１５）。また、ステップＳ１５において、携帯型ユーザ端末１０のデータ設定モジュール２１は、無線ＬＡＮに接続可能な場所の位置情報と、この無線ＬＡＮを実行するためのＷｉ−Ｆｉアクセス情報とを、公衆無線ＬＡＮサービスの提供元サーバやデータベース等から取得しても良い。ステップＳ１５において、位置情報とは、緯度及び経度を指定した情報や、地図アプリケーション等の他のアプリケーションに基づいて場所を指定した情報や、ウェブサイト等に基づいて場所を指定した情報や、ＧＰＳシステム５に基づいて指定した情報である。また、ステップＳ１５において、Ｗｉ−Ｆｉアクセス情報とは、無線ＬＡＮを実行するための識別子であるＩＤであり、具体的には、ＳＳＩＤ及びこのＳＳＩＤのパスワードである。なお、位置情報は、他の方法により取得した情報であっても良いし、Ｗｉ−Ｆｉアクセス情報は、無線ＬＡＮを実行するための他の情報であっても良い。
【００５０】
携帯型ユーザ端末１０のデータ記憶モジュール３０は、ステップＳ１５において取得した位置情報と、Ｗｉ−Ｆｉアクセス情報とを対応付けて図６に示すエリアデータテーブルとして記憶する（ステップＳ１６）。
【００５１】
［エリアデータテーブル］
図６は、データ記憶モジュール３０が記憶するエリアデータテーブルを示す図である。図６において、データ記憶モジュール３０は、ユーザＩＤと、エリア情報と、位置情報と、Ｗｉ−Ｆｉアクセス情報とを対応付けて記憶する。エリアデータテーブルにおいて、ユーザＩＤとは、携帯型ユーザ端末１０自身を識別する識別子である。また、エリア情報とは、各エリアを識別する情報である。このエリア情報は、所定の県別、地域別等の大凡の位置を意味する。また、位置情報とは、各無線ＬＡＮの位置を示す情報である。また、Ｗｉ−Ｆｉアクセス情報とは、この位置情報における無線ＬＡＮに接続するＳＳＩＤ及びＳＳＩＤのパスワードである。なお、本実施形態において、位置情報は、緯度及び経度で記憶しているが、上述した通り、緯度及び経度に限らず、他の位置を示す情報を記憶しても良い。また、パスワードが設定されていない無線ＬＡＮの場合、パスワードが無いことを示す旨を記憶しても良いし、パスワード事態を記憶していなくても良い。また、パスワードが設定されていない無線ＬＡＮを除外し、記憶しないようにしても良い。また、エリアデータテーブルにおいて、各項目の数及び種類は、多くても少なくても良いし、適宜変更しても良い。
【００５２】
次に、携帯型ユーザ端末１０の位置情報取得モジュール２２は、ＧＰＳシステム５から自身の位置情報を取得し、自身の位置情報を把握する（ステップＳ１７）。なお、ステップＳ１７において、位置情報取得モジュール２２が自身の位置情報を取得するタイミングは、上述したタイミングである。
【００５３】
携帯型ユーザ端末１０の接続可能判断モジュール３１は、ステップＳ１７において取得した自身の位置情報に基づいて、データ記憶モジュール３０が記憶した位置情報を検索し、取得した位置情報を記憶しているか否かを判断する（ステップＳ１８）。すなわち、ステップＳ１８において、接続可能判断モジュール３１は、自身の位置が、無線ＬＡＮに接続可能な場所であるか否かを判断する。なお、ステップＳ１８において、接続可能判断モジュール３１は、位置情報取得モジュール２２が、公衆無線ＬＡＮサービスの提供元サーバやデータベース等から公衆無線ＬＡＮスポットの場所に関する位置情報を取得し、位置情報取得モジュール２２が取得した自身の位置情報に基づいて、公衆無線ＬＡＮスポットの場所に関する情報を検索し、自身の位置が無線ＬＡＮに接続可能であるか否かを判断しても良い。
【００５４】
ステップＳ１８において、接続可能判断モジュール３１は、取得した位置情報を記憶していないと判断した場合（ステップＳ１８  ＮＯ）、データ通信実行モジュール２３は、基地局３を利用するデータ通信を実行する（ステップＳ１９）。
【００５５】
一方、ステップＳ１８において、接続可能判断モジュール３１は、取得した位置情報を記憶していると判断した場合（ステップＳ１８  ＹＥＳ）、無線ＬＡＮ通信実行モジュール２４は、この位置情報に関連付けられたＷｉ−Ｆｉアクセス情報を取得する（ステップＳ２０）。
【００５６】
無線ＬＡＮ通信実行モジュール２４は、取得したＷｉ−Ｆｉアクセス情報に基づいて、基地局３を利用するデータ通信に優先して、ルータ１００とＷｉ−Ｆｉ接続によるデータ通信を実行する（ステップＳ２１）。ステップＳ２１において、無線ＬＡＮ通信実行モジュール２４は、ルータ１００を介して、無線ＬＡＮ接続によるデータ通信を実行する。
【００５７】
以上が、通信切替処理の処理手順である。
【００５８】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５９】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６０】
１  通信切替システム、３  基地局、５  ＧＰＳシステム、１０  携帯型ユーザ端末、１００  ルータ
【図１】
2017005557.tif 000003
【図２】
2017005557.tif 000004
【図３】
2017005557.tif 000005
【図４】
2017005557.tif 000006
【図５】
2017005557.tif 000007
【図６】
2017005557.tif 000008
【図７】
2017005557.tif 000009
【図８】
2017005557.tif 000010